(57)【要約】      （修正有）【課題】按摩および筋肉を引く効果を同時に持ち、按摩効果が向上し、スペースを占めることなく、安価な脚部按摩器を提供する。【解決手段】枢接台座１１が設けてある台座１０と、前記台座の枢接台座に枢設される自在継手２０と、前記自在継手の台座端と反対する一端に設けられ、少なくとも一貫通孔が開けたペダル３０と、前記ペダルの貫通孔内に枢設された按摩用回転ロッド４０とを含むことを特徴とする脚部按摩器。【選択図】図４
0003107678.tif 000002
【実用新案登録請求の範囲】
【請求項１】
枢接台座が設けてある台座と、前記台座の枢接台座に枢設される自在継手と、前記自在継手の台座端と反対する一端に設けられ、少なくとも一貫通孔が開けたペダルと、前記ペダルの貫通孔内に枢設された按摩用回転ロッドとを含むことを特徴とする、脚部按摩器。
【請求項２】
前記台座の中央頂面には一枢接台座が伸びて設けてあり、前記枢接台座には一半球状の球状窪みが凹設してあり、かつ前記自在継手には球状回転体が設けてあり、前記球状回転体が前記台座の球状窪みに収容されることを特徴とする、請求項１に記載の脚部按摩器。
【請求項３】
前記按摩用回転ロッドの表面に複数の按摩用突起が設けてあり、且つ前記按摩用回転ロッドがペダルの上面よりも高く露出することを特徴とする、請求項１に記載の脚部按摩器。
【考案の詳細な説明】
【技術分野】
【０００１】
本考案は按摩器に係り、特に按摩および筋肉を引く効果を有する脚部按摩器に関するものである。
【背景技術】
【０００２】
近代の国民は仕事が忙しいが、体の健康にも徐々に重要視しているので、疲労を解消するために、道具を使用することがよくあり、例えば脚部按摩器を使用し、脚部にある多数のツボを刺激することにより健康を回復する。
【０００３】
しかしながら、従来の脚部按摩器は、脚部を按摩する機能だけを持つものが一般であり、運動効果がないので、脚部の健康をもっと向上することができなく、且つ脚部を運動するために、脚部ヘルス器材を別に購入することが必要になるので、スペースが占められると共に、金銭もかなり掛かる。
【考案の開示】
【考案が解決しようとする課題】
【０００４】
本考案の主な目的は、按摩および筋肉を引く効果が同時に持ち、脚部の按摩効果が向上し、スペースが占めなく、且つ金銭が掛からない脚部按摩器を提供する。
【課題を解決するための手段】
【０００５】
上記目的を達成するためになされた本願の考案は、枢接台座が設けてある台座と、前記台座の枢接台座に枢設される自在継手と、前記自在継手の台座端と反対する一端に設けられ、少なくとも一貫通孔が開けたペダルと、前記ペダルの貫通孔内に枢設された按摩用回転ロッドとを含むことを特徴とする脚部按摩器であることを要旨としている。
【０００６】
本願の考案では、前記台座の中央頂面には一枢接台座が伸びて設けてあり、前記枢接台座には一半球状の球状窪みが凹設してあり、かつ前記自在継手には球状回転体が設けてあり、前記球状回転体が前記台座の球状窪みに収容されることを特徴とする請求項１に記載の脚部按摩器であることを要旨としている。
【０００７】
本願の考案では、前記台座の枢接台座には球状窪みの対向する箇所で欠け口がそれぞれ開けてあることを特徴とする請求項２に記載の脚部按摩器であることを要旨としている。
【０００８】
本願の考案では、前記台座の枢接台座の二欠け口からずれた頂面には定位素子がそれぞれ固定され、前記定位素子の間の距離が前記球状回転体の半径よりも小さいことを特徴とする請求項３に記載の脚部按摩器であることを要旨としている。
【０００９】
本願の考案では、前記台座の底面には滑止パッドが設けてあることを特徴とする請求項１に記載の脚部按摩器であることを要旨としている。
【００１０】
本願の考案では、前記台座の内部には錘が設けてあることを特徴とする請求項１に記載の脚部按摩器であることを要旨としている。
【００１１】
本願の考案では、前記自在継手の球状回転体には枢接部が伸びて設けてあり、前記ペダルの底面には結合ロッドが設けてあり、且つ前記自在継手の枢接部が前記結合ロッド内に嵌合され、一ネジにより前記ペダルの結合ロッドと前記自在継手の枢接部とが結合されることを特徴とする請求項２に記載の脚部按摩器であることを要旨としている。
【００１２】
本願の考案では、前記ペダルにある貫通孔はペダルの中央に位置することを特徴とする請求項１に記載の脚部按摩器であることを要旨としている。
【００１３】
本願の考案では、前記按摩用回転ロッドの表面に複数の按摩用突起が設けてあり、且つ前記按摩用回転ロッドがペダルの上面よりも高く露出することを特徴とする請求項１に記載の脚部按摩器であることを要旨としている。
【００１４】
本願の考案では、前記ペダルにある矩形開口と前記按摩用回転ロッドの中心とを挿通するように、一ピンが設けてあることを特徴とする請求項１に記載の脚部按摩器であることを要旨としている。
【考案の効果】
【００１５】
本考案に係る脚部按摩器によれば、按摩および筋肉を引く効果が同時に持ち、脚部の按摩効果が向上し、スペースが占めなく、且つ金銭が掛からない。
【考案を実施するための最良の形態】
【００１６】
以下、添付図面を参照して本考案の好適な実施の形態を詳細に説明する。
【００１７】
図１と図２に示すのは本考案に係る脚部按摩器である。本考案に係る脚部按摩器は、台座１０と、自在継手２０と、ペダル３０と、按摩用回転ロッド４０とを含む。
【００１８】
前記台座１０は、その内部に一錘（図示省略）が設けてあり、且つその中央頂面には一枢接台座１１が伸びて設けてあり、前記枢接台座１１には一半球状の球状窪み１２が凹設してあり、前記台座１０の底面には滑止パッド１３が設けてあり、前記台座１０の枢接台座１１には球状窪み１２の対向する箇所で欠け口１３がそれぞれ開けてある。
【００１９】
前記自在継手２０は、前記台座１０の枢接台座１１に設けられ、一球状回転体２１が設けてあり、前記球状回転体２１には枢接部２２が伸びて設けてあり、且つ前記球状回転体２１が前記台座１０の球状窪み１２に収容され、前記台座１０の枢接台座１１の二欠け口１３からずれた頂面には定位素子１４がそれぞれ固定され、前記定位素子１４の間の距離が前記球状回転体２１の半径よりも小さいので、前記球状回転体２１が前記台座１０に有効に固定される。
【００２０】
前記ペダル３０は、前記自在継手２０の枢接部２２に設けられ、その底面には結合ロッド３１が設けてあり、且つ前記自在継手２０の枢接部２２が前記結合ロッド３１内に嵌合され、一ネジ２３により前記ペダル３０の結合ロッド３１と前記自在継手２０の枢接部２２とが結合され、これにより、前記自在継手２０がペダル３０に固定され、前記ペダル３０の中央に一矩形開口３２が開けてあり、前記矩形開口３２が前記結合ロッド３１の近傍に位置する。
【００２１】
前記按摩用回転ロッド４０は、前記ペダル３０の矩形開口３２内に設けられ、その表面に複数の按摩用突起４１が設けてあり、且つ前記按摩用回転ロッド４０がペダル３０の上面よりも高く露出し、前記ペダル３０にある矩形開口３２と前記按摩用回転ロッド４０の中心とを挿通するように、一ピン４２が設けてあり、これにより、前記按摩用回転ロッド４０が前記ペダル３０の矩形開口３２内に枢設される。
【００２２】
次に、本考案に係る脚部按摩器の使用状態を説明する。図２と図４に示すように、使用者は二つの脚部を別々にペダル３０に踏み、且つペダル３０上で摺動することができ、これにより、按摩用回転ロッド４０が駆動されて回転し、按摩用回転ロッド４０の表面にある按摩用突起４１が使用者の脚部の下面を按摩し、且つ前記自在継手２０にある球状回転体２１が前記台座１０の球状窪み１２内に回転するので、二つのペダル３０が自在に揺動することができ、使用者の脚部がペダル３０と共に揺動すると、脚部の筋肉が引かれ、健康を向上する効果がある。だから、一台の脚部按摩器により、按摩および筋肉を引く効果を同時に収めることができる。
【図面の簡単な説明】
【００２３】
【図１】本考案に係る脚部按摩器の斜視図である。
【図２】本考案に係る素子の分解斜視図である。
【図３】本考案の実施例の斜視概略図である。
【図４】本考案の実施例の動作状態を示す概略図である。
【符号の説明】
【００２４】
１０      台座                      １１      枢接台座
１２      球状窪み                  １３      欠け口
１４      定位素子                  １５      滑止パッド
２０      自在継手                  ２１      球状回転体
２２      枢接部                    ２３      ネジ
３０      ペダル                    ３１      結合ロッド
３２      矩形開口                  ４０      按摩用回転ロッド
４１      按摩用突起                ４２      ピン
【図１】
0003107678.tif 000003
【図２】
0003107678.tif 000004
【図３】
0003107678.tif 000005
【図４】
0003107678.tif 000006